(57)【要約】【課題】  化粧サッシ枠の屋外側の外表面を利用して窓シャッター、面格子、窓用水切り材等の窓回り部材を固定支持することで、窓回り部材を取り付ける部品を省略して施工の手間とコストを削減すること。窓回り部材を開口部周辺の外壁面に対して傾くことなく外観良く設置できるようにすること。【解決手段】  建物の窓部となる開口部１内に設置される窓サッシ枠２と、窓サッシ枠２の屋外側Ａの外縁全周に取り付けられる化粧サッシ枠３と、屋外側Ａの窓回り部に設置される窓シャッター６Ａ、面格子６Ｂ、窓用水切り材等の窓回り部材６とを備え、上記化粧サッシ枠３の屋外側Ａの外表面３ｄは上記開口部１周辺の外壁面５と略平行に形成され且つ上記窓回り部材６がビス固定可能な厚肉形状に形成されている。【選択図】        図１
2005042473.tif 000002
【特許請求の範囲】
【請求項１】
建物の窓部となる開口部内に設置される窓サッシ枠と、窓サッシ枠の屋外側の外縁全周に取り付けられる化粧サッシ枠と、屋外側の窓回り部に設置される窓シャッター、面格子、窓用水切り材等の窓回り部材とを備え、化粧サッシ枠の屋外側の外表面は上記開口部周辺の外壁面と略平行に形成され且つ上記窓回り部材がビス固定可能な厚肉形状に形成されていることを特徴とする化粧サッシ枠の構造。
【発明の詳細な説明】
【技術分野】
【０００１】
本発明は、化粧サッシ枠の構造に関し、詳しくは化粧サッシ枠の屋外側の外表面を利用して、屋外側の窓回り部に設置される窓シャッター、面格子、窓用水切り材等の窓回り部材をビス固定可能にするための技術に関するものである。
【背景技術】
【０００２】
一般家屋、住宅用の各種建物の外壁には、建物の換気、採光、その他の目的のために、窓を設けるための四角い開口部が設けられ、この開口部に窓枠となる窓サッシ枠が取り付けられている。この場合、窓サッシ枠の屋外側の外縁と開口部の内縁との間の隙間を覆う目的で、窓サッシ枠の屋外側の外縁全周に化粧サッシ枠を取り付けることが一般的に行なわれている（例えば、特許文献１参照）。
【０００３】
ところで、開口部周辺の屋外側に窓シャッター、面格子、窓用水切り材等の窓回り部材を設置する場合において、従来の化粧サッシ枠は薄肉状に形成されていて強度的に弱く、そのために化粧サッシ枠とは別に、窓回り部材を固定支持するための専用の補助取り付け部材が必要となり、このため従来は部品数が増加して材料コストが上昇すると共に、施工に手間取るという問題を有していた。
【特許文献１】特開平９−４１８１０号公報
【発明の開示】
【発明が解決しようとする課題】
【０００４】
本発明は上記の従来の問題点に鑑みて発明したものであって、化粧サッシ枠の屋外側の外表面を利用して屋外側の窓回り部に設置される窓シャッター、面格子、窓用水切り材等の窓回り部材を固定支持することができ、窓回り部材を取り付ける部品を省略して施工の手間とコストを削減でき、さらに窓回り部材を開口部周辺の外壁面に対して傾くことなく外観良く設置できるようにした化粧サッシ枠の構造を提供することを課題とするものである。
【課題を解決するための手段】
【０００５】
上記課題を解決するために本発明にあっては、建物の窓部となる開口部１内に設置される窓サッシ枠２と、窓サッシ枠２の屋外側Ａの外縁全周に取り付けられる化粧サッシ枠３と、屋外側Ａの窓回り部に設置される窓シャッター６Ａ、面格子６Ｂ、窓用水切り材等の窓回り部材６とを備え、化粧サッシ枠３の屋外側Ａの外表面３ｄは上記開口部１周辺の外壁面５と略平行に形成され且つ上記窓回り部材６がビス固定可能な厚肉形状に形成されていることを特徴としており、このように構成することで、窓回り部材６を化粧サッシ枠３の屋外側Ａの厚肉形状を利用して簡単に且つ強固にビス固定することができ、窓回り部材６を取り付けるための専用の部品を削減でき、生産性の向上を図ると共に、施工の手間とコストを削減できるようになると共に、化粧サッシ枠３の屋外側Ａの外表面３ｄと開口部１周辺の外壁面５とが略平行であるので、窓回り部材６を開口部１周辺の外壁面５に傾くことなく、外観良く設置できるようになる。
【発明の効果】
【０００６】
本発明は、建物の窓部となる開口部内に設置される窓サッシ枠と、窓サッシ枠の屋外側の外縁全周に取り付けられる化粧サッシ枠と、屋外側の窓回り部に設置される窓シャッター、面格子、窓用水切り材等の窓回り部材とを備え、化粧サッシ枠の屋外側の外表面は上記開口部周辺の外壁面と略平行に形成され且つ上記窓回り部材がビス固定可能な厚肉形状に形成されているので、窓回り部材を化粧サッシ枠の厚肉形状を利用して簡単に且つ強固にビス固定することができ、窓回り部材を取り付けるための専用の部品を削減でき、生産性の向上を図ると共に、施工の手間とコストを削減でき、さらに部品の生産管理や在庫管理などの作業も簡易化できるという効果がある。そのうえ、化粧サッシ枠の屋外側の外表面を開口部周辺の外壁面と略平行に形成したので、化粧サッシ枠の屋外側の外表面に対して窓回り部材を取り付けた状態では、窓回り部材を開口部周辺の外壁面と略平行に設置でき、窓回り部材を開口部周辺の外壁面に対して傾くことなく外観良く設置でき、施工性の向上を図ることができるという効果もある。さらに窓回り部材や窓サッシ枠を新しいものや異なった種類のものに交換するのも容易となり、リフォームのバリエーションが増えると共にリフォーム工事を簡単且つ安価に行えるという効果もある。
【発明を実施するための最良の形態】
【０００７】
以下、本発明を添付図面に示す実施形態に基いて説明する。
【０００８】
図１は化粧サッシ枠３の化粧縦枠３ｂ付近の水平断面図、図２は化粧上枠３ａ付近の側面断面図、図３は化粧下枠３ｃ付近の側面断面図であり、図４は化粧サッシ枠３の屋外側Ａの厚肉形状部分３ｅに対する窓シャッター６Ａの取り付け状態を説明する側面断面図である。
【０００９】
建物の窓部となる開口部１は四角形状をしており、この開口部１の内縁全周にわたって、図１〜図３に示すように、例えば木質角材からなる開口枠６０が配置されている。この開口枠６０の外周部に沿ってパネル枠８ａとパネル８ｂとからなる外装材８が配置されている。
【００１０】
上記開口枠６０の内側に設置される窓サッシ枠２は、市販品のアルミサッシからなり、その内側には引き違い式のガラス板９（或いは回転式の扉板等）が開閉自在に取付けられるようになっている。窓サッシ枠２は、上枠２ａと両側の縦枠２ｂと下枠２ｃとからなる。各枠２ａ〜２ｃには、後述の化粧サッシ枠３を取り付けるための取付片１３がそれぞれ一体形成されている。また、上枠２ａ及び下枠２ｃには、それぞれ、ガラス板９を走行自在にガイドする走行レール１０と、網戸１１（図２、図３）をガイドする網戸レール１２とが設けられている。なお図１〜図３中の１４は窓サッシ枠２の内縁を止水する止水部材、１５は窓サッシ枠２の屋外側Ａから屋内側へのヒートブリッジを防止するための断熱樹脂、１６は断熱樹脂１５よりも屋内側の窓枠部分を開口枠６０に固定するためのビスである。
【００１１】
上記窓サッシ枠２の屋外側Ａの外縁全周に亘って、金属製の化粧サッシ枠３が取り付けられる。本例の化粧サッシ枠３は、化粧上枠３ａと両側の化粧縦枠３ｂと化粧下枠３ｃとからなる。化粧上枠３ａ、化粧縦枠３ｂ、化粧下枠３ｃのそれぞれの屋外側Ａの外表面３ｄは、図１〜図３に示すように、開口部１周辺の外壁面５と略平行に形成されていると共に、後述の屋外側Ａの窓回り部に設置される窓シャッター６Ａがビス固定可能な厚肉形状に形成されている。この厚肉形状部分３ｅは取付ビス２０が締め込まれて窓シャッター６Ａのような窓回り部材６の重量にも十分に耐えられる厚みと強度とを有している。
【００１２】
ここで、上記厚肉形状部３ｅの厚みの具体例を説明する。一般に金属枠として用いられるアルミニウム押し出し型材では、第１実施形態として図１に示すように、厚肉形状部３ｅは肉厚１．５〜２．５ｍｍ、幅Ｈ１が５〜８ｍｍで長手方向に連続していることが好ましく、さらに肉厚２ｍｍ、幅Ｈ１が６ｍｍで長手方向に連続していることがより好ましい。また第２実施形態として、図６に示すように、肉厚２ｍｍ、幅Ｈ２が約２０ｍｍで長手方向に連続していることが好ましい。この場合は厚肉形状部３ｅが図１の場合よりも幅広（Ｈ２＞Ｈ１）となるため、シャッター、面格子等の窓廻り部材６による取り付け幅の異なる場合にもすべて対応できるようになる。ちなみに、一般アルミサッシや従来の化粧サッシ枠は、枠強度とアルミの使用量の関係から、肉厚０．８〜１．２ｍｍ程度であり、枠の強度としては十分であるが、ビス固定するには不十分である。しかし、枠全体をビス固定可能な肉厚形状とすることは、不必要なところまで厚肉となり、アルミの使用量を無駄に増加することとなってしまうという問題があるが、本発明においては、ビス固定される必要な箇所のみを厚肉形状部分３ｅとしているため、かかる問題はない。
【００１３】
さらに、化粧上枠３ａの外側、化粧縦枠３ｂの外側、及び、化粧下枠３ｃの外側には、それぞれ、釘孔を有する固定片２３が突設されており、この固定片２３が釘４によって開口枠６０に固着されるようになっている。
【００１４】
また上記化粧サッシ枠３は、図１に示すように、化粧縦枠３ｂの屋外側Ａの端部に設けた係止部２５を縦枠２ｂの屋外側Ａの端部に当接させ、且つ化粧縦枠３ｂの窓サッシ枠２側の端部に設けた当接片２６を縦枠２ｂの取付片１３に当接させた状態で、化粧縦枠３ｂの前後２箇所がビス２１，２２でそれぞれ固定されている。また図２に示すように、化粧上枠３ａの屋外側Ａの端部に設けた係止部２７を上枠２ａの屋外側Ａの端部に当接させ、且つ化粧上枠３ａに設けた当接片２８を上枠２ａの取付片１３に当接させた状態で、化粧上枠３ａの後端部が上枠２ａに対してビス２２で固定されている。さらに図３に示すように、化粧下枠３ｃの屋外側Ａの端部に設けた係止部２９を下枠２ｃの屋外側Ａの端部に設けた凹所３０に係止させ、且つ化粧下枠３ｃに設けた当接片３１を下枠２ｃの取付片１３に当接させた状態で、化粧下枠３ｃの前後２箇所が下枠２ｃに対してビス２１，２２でそれぞれ固定されている。なお、図１〜図３中の３２は化粧サッシ枠３と窓サッシ枠２間をシールする水密材である。
【００１５】
また上記化粧サッシ枠３の化粧上枠３ａの外側、化粧縦枠３ｂの外側、及び、化粧下枠３ｃの外側には、それぞれ、釘孔を有する固定片２３が突設されており、この固定片２３から開口枠６０に釘４を打入することにより、化粧サッシ枠３は開口枠６０に対して固着されている。ここで、上記化粧縦枠３ｂ側の釘４は、図１に示すように、化粧縦枠３ｂに取り付けられるカバー体３３によって覆い隠され、また化粧上枠３ａ及び化粧下枠３ｃの各釘４は、化粧サッシ枠３と外装材８のパネル８ｂとの隙間に充填されるコーキング材３４で覆い隠されるようになっている。図１中の３５、３６はカバー体３３の両端部の係止部、３９はカバー体３３の係止部３８が係止する係止凹所である。
【００１６】
さらに上記化粧サッシ枠３には、図４に示すように、窓回り部材６である窓シャッター６Ａが取り付け可能となっている。本例の窓シャッター６Ａは、開口部１の屋外側Ａの上方部に設置されるシャッターボックス４０と、シャッターボックス４０内に巻取り収納されると共にシャッターボックス４０の出入り口４０ａから引き降ろされて開口部１を遮蔽自在とするロールブラインド等の遮光部材４１と、開口部１の屋外側Ａの左右両側に配置されて遮光部材４１を上下方向にガイドする縦レール４２とを備えている。シャッターボックス４０は、開口部１の上方の外壁面５に釘４３（図４）によって固着され、その内側には遮光部材４１以外に電動開閉用の電装部品（図示せず）が納められており、電装部品を室内からリモコンによって遠隔制御して、遮光部材４１を出入り口４０ａから縦レール４２に沿って引き降ろすことで、建物の開口部１からの外光を遮断できるようになっている。
【００１７】
ここで、窓シャッター６Ａの枠部は、開口部１の屋外側Ａの上方部に設置されるシャッター上枠７ａと、開口部１の屋外側Ａの左右両側に配置されるシャッター縦枠７ｂ（図１）と、開口部１の屋外側Ａの下方部に設置されるシャッター下枠７ｃとからなる。シャッター上枠７ａには前記化粧上枠３ａの厚肉形状部分３ｅ（図２）に対してビス固定されるビス孔（図示せず）が設けられ、シャッター縦枠７ｂには前記化粧縦枠３ｂの厚肉形状部分３ｅ（図１）に対してビス固定されるビス孔（図示せず）が設けられ、シャッター下枠７ｃには前記化粧下枠３ｃの厚肉形状部分３ｅ（図３）に対してビス固定されるビス孔（図示せず）が設けられている。これにより、現場で窓シャッター６Ａの枠部７ａ〜７ｃをそれぞれ取付ビス２０を用いて化粧サッシ枠３の厚肉形状部分３ｅに対して固着できるようになり、化粧サッシ枠３の屋外側Ａの外表面３ｄを利用して窓シャッター６Ａのビス固定を簡易に且つ確実に行なえるようになっている。なお、窓シャッター６Ａの構造は図４の例に限らず、例えば、採光および通風をコントロールしたり、太陽輻射熱を効果的にカットしたり、また断熱効果を合わせ持つ、所謂ルーバー型（可動型）のブラインドであってもよいものであり、要は、化粧サッシ枠３に対してビス固定できる枠部を備えていればよいものである。
【００１８】
上記構成によれば、化粧サッシ枠３の屋外側Ａの外表面３ｄをビス固定可能な厚肉形状に形成し、この厚肉形状部分３ｅに窓シャッター６Ａをビス固定することによって、窓シャッター６Ａを化粧サッシ枠３に対して簡単に且つ強固にビス固定することができる。従って、窓シャッター６Ａを取り付けるための専用の部品を削減でき、生産性の向上を図ると共に、施工の手間とコストを削減でき、そのうえ部品の生産管理や在庫管理などの作業も簡易化できる。つまり、化粧サッシ枠３は、窓サッシ枠２の屋外側Ａの外縁と開口部１の内縁との隙間を覆う本来の機能に加えて、窓シャッター６Ａのような窓回り部材６を固定支持する機能を持つようになり、化粧サッシ枠３の機能拡大が図られる。そのうえ、化粧サッシ枠３の屋外側Ａの外表面３ｄを開口部１周辺の外壁面５（図１〜図３）と略平行に形成したので、化粧サッシ枠３の屋外側Ａの外表面３ｄに対して窓シャッター６Ａを取り付けた状態で、窓シャッター６Ａを開口部１周辺の外壁面５と略平行に設置できるようになり、窓シャッター６Ａ等の窓回り部材６を開口部１周辺の外壁面５に対して傾くことなく外観良く設置でき、施工性の向上が図られる。
【００１９】
また、建物の開口部１の巾が変わる場合は、窓サッシ枠２の寸法は変えず、化粧サッシ枠３の寸法を変えることで開口部１の変化に対応できるようになる。従って、窓サッシ枠２として市販のものを使用できる。そのうえ化粧サッシ枠３によって市販の窓サッシ枠２の重厚感、高級感をもたせることができると共に、化粧サッシ枠３内に水密材３２を添設することで、窓サッシ枠２に十分な防水対策を施すことができ、外観の意匠性を向上させることと防水性を確保することの双方を同時に満足させることが可能となる。
【００２０】
さらに、建物のリフォームを行う際には取付ビス２０を取り外すだけで、化粧サッシ枠３から窓シャッター６Ａを簡単に取り外すことができ、例えば窓シャッター６Ａや窓サッシ枠２を新しいものや異なった種類のものに交換することが容易となり、リフォームのバリエーションが増えると共に、リフォーム工事を簡単且つ安価に行えるという利点もある。
【００２１】
図５は、窓回り部材６として面格子６Ｂの一例を示している。本例の面格子６Ｂは、矩形状に組まれた枠体（図示せず）内に縦桟５０と横桟５１とが格子状に組み合わされた状態で構成されており、例えば横桟５１の複数箇所から取付アーム５２を突設させ、取付アーム５２の先端に取り付けた取付プレート７’を化粧サッシ枠３の厚肉形状部分３ｅにあてがい、この取付プレート７’と厚肉形状部分３ｅとを取付ビス２０にて固定できるようになっている（図１の仮想線７’で示す状態）。この種の面格子６Ｂは、外部からの侵入者を阻止するために防犯上から取付られるものである。また面格子６Ｂの構造は図５の例に限らず、縦桟だけによって構成された縦格子、或いは横桟だけによって構成された横格子であってもよいが、少なくとも化粧サッシ枠３の厚肉形状部分３ｅに対してビス固定できる取付プレート７’を備えていればよいものである。
【００２２】
さらに窓回り部材６の他例として、例えば開口部１の屋外側Ａの下方位置に取り付けられる窓用水切り材（図示せず）が挙げられる。この窓用水切り材は、前下方へ傾斜した板状の水切り材本体と、水切り材本体の後端部から上方に立ち上がる止水片とで構成され、止水片を化粧下枠３ｃの厚肉形状部分３ｅ（図１〜図３）に対してビス固定することによって、窓用水切り材を化粧サッシ枠３の屋外側Ａの外表面３ｄを利用して適切な位置に簡易且つ確実に固定支持できるようになる。なお、窓用水切り材を開口部１の屋外側Ａの上方位置に取り付ける場合においても、止水片を化粧サッシ枠３の上枠部の厚肉形状部分３ｅに対してビス固定することで対応できる。このように窓用水切り材を取り付けることで、建物の窓回り部の防水性能を向上させることができ、また化粧サッシ枠３を利用して取り付けることで、窓用水切り材を取り付けるための専用の部材が不要になるという利点がある。
【００２３】
前記実施形態では、窓回り部材６として窓シャッター６Ａ、面格子６Ｂ、窓用水切り材を例示したが、これ以外の窓回りに設置される部材に広く適用可能であることは勿論のことである。
【図面の簡単な説明】
【００２４】
【図１】本発明の一実施形態に用いる化粧サッシ枠の化粧縦枠付近の平面断面図である。
【図２】同上の化粧上枠付近の側面断面図である。
【図３】同上の化粧下枠付近の側面断面図である。
【図４】同上の化粧サッシ枠の厚肉形状部分に窓シャッターをビス固定した場合の一例を示す側面断面図である。
【図５】同上の化粧サッシ枠の厚肉形状部分にビス固定される面格子の一例を示す破断した斜視図である。
【図６】本発明の他の実施形態の平面断面図である。
【符号の説明】
【００２５】
１  開口部
２  窓サッシ枠
３  化粧サッシ枠
３ｄ  屋外側の外表面
５  外壁面
６  窓回り部材
６Ａ  窓シャッター
６Ｂ  面格子
Ａ  屋外側
【図１】
2005042473.tif 000003
【図２】
2005042473.tif 000004
【図３】
2005042473.tif 000005
【図４】
2005042473.tif 000006
【図５】
2005042473.tif 000007
【図６】
2005042473.tif 000008